(57)【要約】      （修正有）【課題】軟性フラットケーブルにおいて、接地導電素子により、露出した接地線と絶縁層上に設置された金属層を電気的に接続して、接地功能を具備させることにより安価に製造できる、軟性フラットケーブルを提供する。【解決手段】軟性フラットケーブルは、第一絶縁層１０、導線層１１、第二絶縁層１２、金属層１３、及び、少なくとも一つの接地導電素子１４、を備える。導線層は、複数の金属導線が、間隔を隔てて、第一絶縁層上に設置され、導線層の複数の金属導線は、少なくとも一つの接地線を有する。第二絶縁層は導線層上に設置され、導線層両端を露出させる。金属層は第二絶縁層上に設置される。接地導電素子１４は、露出した接地線と金属層と電気的に接続する。【選択図】図１
0003163445.tif 000002
【実用新案登録請求の範囲】
【請求項１】
軟性フラットケーブルであって、
第一絶縁層と、
複数の金属導線が、間隔を隔てて、前記第一絶縁層上に設置され、前記複数の金属導線が、少なくとも一つの接地線を有する導線層と、
前記導線層上に設置され、前記導線層両端を露出させる第二絶縁層と、
前記第二絶縁層上に設置される金属層、及び、
導電材質で、露出した前記接地線と前記金属層と電気的に接続する少なくとも一つの接地導電素子と
を備えることを特徴とする軟性フラットケーブル。
【請求項２】
一部の前記接地導電素子は、前記金属層上に設置されることを特徴とする請求項１に記載の軟性フラットケーブル。
【請求項３】
前記金属層は、前記第二絶縁層を被覆することを特徴とする請求項１又は２に記載の軟性フラットケーブル。
【請求項４】
更に、第一保護素子を有し、前記金属層上に設置されることを特徴とする請求項１から３の何れか１項に記載の軟性フラットケーブル。
【請求項５】
前記第一保護素子の材料は、PETを含むことを特徴とする請求項４に記載の軟性フラットケーブル。
【請求項６】
更に、第二保護素子を有し、一部の前記接地導電素子を被覆することを特徴とする請求項１から５の何れか１項に記載の軟性フラットケーブル。
【請求項７】
前記第二保護素子はスリーブで、前記第一絶縁層の一端に設置されて、前記導線層両端を露出させることを特徴とする請求項６に記載の軟性フラットケーブル。
【請求項８】
前記第二保護素子の材料は、PETを含むことを特徴とする請求項６に記載の軟性フラットケーブル。
【請求項９】
一部の前記接地導電素子は、前記金属層と前記第二絶縁層間に設置されることを特徴とする請求項１に記載の軟性フラットケーブル。
【請求項１０】
前記金属層の一部は、前記第二絶縁層を被覆することを特徴とする請求項１又は９に記載の軟性フラットケーブル。
【請求項１１】
前記接地導電素子は、導電銀ペースト、又は、導電カーボンペーストを含むことを特徴とする請求項１から１０の何れか１項に記載の軟性フラットケーブル。
【請求項１２】
更に、補強板を有し、前記第一絶縁層の下表面の少なくとも一端に設置されることを特徴とする請求項１から１１の何れか１項に記載の軟性フラットケーブル。
【請求項１３】
前記補強板の材質は、ポリエステル樹脂であることを特徴とする請求項１２に記載の軟性フラットケーブル。
【請求項１４】
更に、金属遮蔽層と第三絶縁層を有し、前記金属遮蔽層は前記第一絶縁層の下表面に設置され、且つ、前記第三絶縁層は前記金属遮蔽層の下表面に設置されることを特徴とする請求項１から１３の何れか１項に記載の軟性フラットケーブル。
【請求項１５】
前記金属遮蔽層の材料は、導電銀ペースト、又は、導電カーボンプラズマを含むことを特徴とする請求項１４に記載の軟性フラットケーブル。
【請求項１６】
前記第三絶縁層は、PETを含むことを特徴とする請求項１４に記載の軟性フラットケーブル。
【請求項１７】
前記第一絶縁層と前記第二絶縁層の材料は、PETを含むことを特徴とする請求項１から１６の何れか１項に記載の軟性フラットケーブル。
【請求項１８】
前記金属層の材料は、金、銀、又は、アルミニウムであることを特徴とする請求項１から１７の何れか１項に記載の軟性フラットケーブル。
【考案の詳細な説明】
【技術分野】
【０００１】
本考案は、軟性フラットケーブルに関するものであって、特に、構造が簡単で、且つ、接地構造を有する軟性フラットケーブルに関するものである。
【背景技術】
【０００２】
電子科学技術の発展に伴い、各種電子製品が普及して、仕事や生活中に応用されている。各種電子製品中、軟性フラットケーブルは、大量に応用されて、信号伝送の経路となる。
【０００３】
実際の応用上、軟性フラットケーブルは、間隔が隔てられた複数の金属導線を有し、少なくとも一つの金属導線は接地線で、軟性フラットケーブルの接地線は、外部の接地装置と連接され、公知技術中、金属導線を被覆する絶縁層上に、開孔を設置して、接地線を露出させる必要があり、この構造は、製造工程を複雑にし、コストを増加させる。
【考案の概要】
【考案が解決しようとする課題】
【０００４】
本考案は、軟性フラットケーブルを提供し、接地導電素子により、露出した接地線と第二絶縁層上に設置された金属層を電気的に接続して、軟性フラットケーブルに、接地功能を具備させることを目的とする。
【課題を解決するための手段】
【０００５】
本考案の軟性フラットケーブルは、第一絶縁層、導線層、第二絶縁層、金属層、及び、少なくとも一つの接地導電素子、を備える。導線層は、複数の金属導線が間隔を隔てて、第一絶縁層上に設置され、複数の金属導線は、少なくとも一つの接地線を有する。第二絶縁層は導線層上に設置され、導線層両端を露出させる。金属層は第二絶縁層上に設置される。接地導電素子は、露出した接地線と金属層と電気的に接続する。
【考案の効果】
【０００６】
本考案は、接地導電素子により、露出した導線層の接地線と、第二絶縁層上に設置された金属層を電気的に接続し、製造工程が簡単、快速で、製造コストが安い。
【図面の簡単な説明】
【０００７】
【図１】本考案の実施例による軟性フラットケーブルの構造を示す図である。
【図２】本考案の実施例による軟性フラットケーブルの上視図である。
【図３】本考案のもう一つ実施例による軟性フラットケーブルの構造を示す図である。
【図４】本考案のもう一つ実施例による軟性フラットケーブルの構造を示す図である。
【図５】本考案のもう一つ実施例による軟性フラットケーブルの構造を示す図である。
【図６】本考案のもう一つ実施例による軟性フラットケーブルの構造を示す図である。
【考案を実施するための形態】
【０００８】
図１は、本考案の一つ実施例による軟性フラットケーブル１の構造を示す図である。図２は、本考案の一つ実施例による軟性フラットケーブル１の上視図である。軟性フラットケーブル１は、第一絶縁層１０、導線層１１、第二絶縁層１２、金属層１３、及び、少なくとも一つの接地導電素子１４、を備える。導線層１１は、複数の金属導線が間隔を隔てて、第一絶縁層１０上に設置され、複数の金属導線は、少なくとも一つの接地線を有し、例えば、軟性フラットケーブル１の導線層１１中に、接地線１１１ａ、１１１ｂ、１１１ｃを有する。第二絶縁層１２は導線層１１上に設置され、導線層１１両端を露出させる。金属層１３は第二絶縁層１２上に設置される。接地導電素子１４は、露出した接地線１１１ａ、１１１ｂ、１１１ｃと金属層１３と電気的に接続する。
【０００９】
図３は、本考案のもう一つの実施例による軟性フラットケーブルを示す図で、更に、第一保護素子１５と第二保護素子１６を有し、第一保護素子１５は、金属層１３上に設置され、且つ、第二保護素子１６は、一部の接地導電素子１４を被覆する。図３の実施例中、第二保護素子１６は、更に、一部の第一保護素子１５を被覆するが、これに限定されない。第一保護素子１５と第二保護素子１６は、外部の粉塵や微粒等の汚染を阻止し、一部の接地導電素子１４、及び/又は、金属層１３が傷ついたり、摩損したりするのを防止する。第一、第二保護素子１５、１６は絶縁材料で、これに限定されないが、ポリエチレン・テレフタレート（PET）である。第一、第二保護素子１５、１６は、一体成型の素子でもよい。本考案のもう一つ実施例中、更に、補強板（図示しない）を有し、第一絶縁層１０の下表面の少なくとも一端に設置されて、軟性フラットケーブルが受ける衝撃を緩衝し、この端で断裂が発生する機会を減少させる。例えば、補強板の材料はポリエステル樹脂である。
【００１０】
説明すべきことは、本考案の実施例の軟性フラットケーブル１を例とすると、一部の接地導電素子１４が金属層１３上に設置され、且つ、金属層１３が第二絶縁層１２を被覆しているが、この限りではない。図４は、本考案のもう一つの実施例による軟性フラットケーブルを示す図で、金属層１３は一部が第二絶縁層１２を被覆し、且つ、一部の接地素子１４が金属層１３と第二絶縁層１２間に設置される。この他、接地導電素子１４は導電性材質からなり、これに限定されないが、導電銀ペースト、或いは、導電カーボンペーストで、塗布、スクリーン印刷等の方式により、導線層１１と第二絶縁層１２上に設置される。第一、第二絶縁層１０、１２の材質は、これに限定されないが、PETであり、金属層１３は導電金属材料で、これに限定されないが、金、銀、又は、アルミニウムである。
【００１１】
図５は、本考案のもう一つの実施例による軟性フラットケーブルを示す図で、更に、金属遮蔽層１７と第三絶縁層１８を含み、金属遮蔽層１７は、第一絶縁層１０の下表面に設置され、且つ、第三絶縁層１８は金属遮蔽層１７の下表面に設置され、第三絶縁層１８の材質は、これに限定されないが、PETである。金属遮蔽層１７の材料は、導電銀ペースト、又は、導電カーボンペーストを含み、電磁干渉とノイズ干渉を減少させて、本考案の軟性フラットケーブルの抵抗範囲を９０〜１１０Ωの間にし、低電圧差動信号(Low Voltage Differential Signal，LVDS)の伝送線の使用規格要求を満たす。
【００１２】
図６は、本考案のもう一つの実施例の軟性フラットケーブルを示す図で、一部の接地導電素子１４を被覆する第二保護素子１６はスリーブで、第一絶縁層１０の少なくとも一端に設置され、一部の接地導電素子１４、一部の第一保護素子１５、一部の金属遮蔽層１７、一部の第一絶縁層１０、一部の導線層１１、一部の第二絶縁層１２、及び、一部の金属層１３を被覆すると共に、導線層１１両端を露出し、接地導電素子１４を保護するだけでなく、この端の強度も増加し、断裂の発生を防止する。この他、上述の実施例中、接地導電素子は露出した導線層の接地線の両端に設置され、必要に応じて、接地線の一端にだけ、接地導電素子を設置してもよい。以上の実施例から分かるように、接地導電素子を利用して、露出した導線層の接地線と、第二絶縁層上に設置された金属層の構造を電気的に接続することが、本考案の精神の１つである。
【００１３】
上述を総合すると、本考案の軟性フラットケーブルは、接地導電素子により、露出した導線層の接地線と、第二絶縁層上に設置された金属層を電気的に接続し、製造工程が簡単、快速で、製造コストが安い。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００１５】
１  軟性フラットケーブル
１０  第一絶縁層
１１  導線層
１１１ａ、１１１ｂ、１１１ｃ  接地線
１２  第二絶縁層
１３  金属層
１４  接地導電素子
１５  第一保護素子
１６  第二保護素子
１７  金属遮蔽層
１８  第三絶縁層
【図１】
0003163445.tif 000003
【図２】
0003163445.tif 000004
【図３】
0003163445.tif 000005
【図４】
0003163445.tif 000006
【図５】
0003163445.tif 000007
【図６】
0003163445.tif 000008